(57)【要約】【課題】  ボトルその他の対象商品の頭部や首部の形状及び寸法が異なる場合でも、自在に吊下げ可能であり、しかも、容易に脱落することなく好適に吊下げ状態を維持できるようにした吊下包装体を提供する。【解決手段】  対象商品の頭部又は首部を挿通することにより該対象商品に吊下げられる包装体である。包装体は、可撓性を有するシート状のヘッダー部と該ヘッダー部に連設された袋部を構成し、該ヘッダー部に吊下手段を設けている。吊下手段は、ヘッダー部を貫通する挿入孔と、該挿入孔の周方向に間隔をあけて形成された切欠部と、相互に隣接する切欠部の間に形成された折曲自在な舌片を備え、舌片を折曲を介して押し広げることにより開口部を形成するように構成されている。【選択図】  図２
2005297991.tif 000002
【特許請求の範囲】
【請求項１】
対象商品の頭部又は首部を挿通することにより該対象商品に吊下げられる包装体において、
包装体は、可撓性を有するシート状のヘッダー部と該ヘッダー部に連設された袋部を構成し、該ヘッダー部に吊下手段を設けており、
前記吊下手段は、ヘッダー部を貫通する挿入孔と、該挿入孔の周方向に間隔をあけて形成された切欠部と、相互に隣接する切欠部の間に形成された折曲自在な舌片を備え、舌片を折曲を介して押し広げることにより開口部を形成するように構成されて成ることを特徴とする吊下包装体。
【請求項２】
頭部と首部と肩部を有し、頭部の外径Ｄ１と首部の外径Ｄ２と肩部の外径Ｄ３を、Ｄ２＜Ｄ１かつＤ２＜Ｄ３となるように形成した対象商品に対して、前記首部を挿通することにより該対象商品に吊下げられる包装体において、
包装体は、可撓性を有するシート状のヘッダー部と該ヘッダー部に連設された袋部を構成し、該ヘッダー部に吊下手段を設けており、
前記吊下手段は、ヘッダー部を貫通する挿入孔と、該挿入孔の周方向に間隔をあけて形成された切欠部と、相互に隣接する切欠部の間に形成された折曲自在な舌片を備え、舌片を折曲を介して押し広げることにより開口部を形成するように構成されており、
前記挿入孔の内径ｄ１と前記開口部の最大内径ｄ２を、対象商品の頭部の外径Ｄ１と首部の外径Ｄ２に対して、ｄ１≦Ｄ２かつｄ２≧Ｄ１となるように形成して成ることを特徴とする吊下包装体。
【請求項３】
前記吊下手段の切欠部は、挿入孔に対して放射方向に延びるスリットを該切欠部から外方に向けて延設して成ることを特徴とする請求項１又は２に記載の吊下包装体。
【請求項４】
包装体は、合成樹脂フィルムから成る表裏フィルムを相互に重合すると共に、表裏フィルムの両側縁を溶着することにより構成されており、表裏フィルムの間に厚手の合成紙又は樹脂シートから成る芯材を介装することにより前記ヘッダー部を形成し、該ヘッダー部に連なる表裏フィルムの間に物品収納室を形成して成ることを特徴とする請求項１、２又は３に記載の吊下包装体。
【発明の詳細な説明】
【技術分野】
【０００１】
本発明は、ボトルその他の対象商品に吊下げることにより使用される吊下包装体に関する。
【背景技術】
【０００２】
例えば、清涼飲料その他の飲料は、ペットボトルやガラスボトルに飲料を充填すると共にキャップ又は栓により封口された状態で商品として販売されている。
【０００３】
ところで、このような商品の販売促進を図るためには、例えば、小型の玩具や、ネックレス又は指輪等のアクセサリー、その他、顧客の購買欲を惹起する景品等を添えて販売することが好ましい。
【０００４】
この点に関して、飲料等を充填したボトル（以下「対象商品」という）の首部に対して吊下げ可能とした袋付きの包装体が提案されている。
【特許文献１】特開２００２−１９８０２公報
【特許文献２】特開２０００−３１８７５１公報
【発明の開示】
【発明が解決しようとする課題】
【０００５】
飲料や調味料、その他を充填した対象商品としてのボトルは、通常、封口部分にキャップ等による頭部を備え、該頭部の下側に現れるボトルの口部分により首部を構成し、該首部から下向きに広がる肩部を形成している。従って、包装体に挿入孔を開設し、該挿入孔に前記頭部及び首部を挿入するように構成すれば、吊下げ可能な包装体を提供することができる。
【０００６】
然しながら、単に挿入孔を設けただけでは、包装体が対象商品の頭部及び首部から容易に脱落してしまう問題がある。
【０００７】
そこで、挿入孔の内径を対象商品の頭部の外径にほぼ適合するように形成しておけば、脱落し難くなるが、その場合、対象商品の頭部を挿入孔に対して正確に位置決めした状態で挿入しなければならないので、包装体の吊下作業が煩雑になる。しかも、依然として脱落の問題を根本的に解決することはできない。
【０００８】
更に、ボトルの形状や寸法は、メーカーによって異なるため、挿入孔の内径をボトルの頭部の外径に合わせて形成する場合は、ボトルの種類毎に包装体を製作しなければならないという問題がある。
【課題を解決するための手段】
【０００９】
本発明は、対象商品の頭部や首部の形状及び寸法が異なる場合でも、自在に吊下げ可能であり、しかも、容易に脱落することなく好適に吊下げ状態を維持できるようにした吊下包装体を提供するものである。
【００１０】
そこで、本発明が第一の手段として構成したところは、対象商品の頭部又は首部を挿通することにより該対象商品に吊下げられる包装体において、包装体は、可撓性を有するシート状のヘッダー部と該ヘッダー部に連設された袋部を構成し、該ヘッダー部に吊下手段を設けており、前記吊下手段は、ヘッダー部を貫通する挿入孔と、該挿入孔の周方向に間隔をあけて形成された切欠部と、相互に隣接する切欠部の間に形成された折曲自在な舌片を備え、舌片を折曲を介して押し広げることにより開口部を形成するように構成されて成る点にある。
【００１１】
また、本発明が第二の手段として構成したところは、頭部と首部と肩部を有し、頭部の外径Ｄ１と首部の外径Ｄ２と肩部の外径Ｄ３を、Ｄ２＜Ｄ１かつＤ２＜Ｄ３となるように形成した対象商品に対して、前記首部を挿通することにより該対象商品に吊下げられる包装体において、包装体は、可撓性を有するシート状のヘッダー部と該ヘッダー部に連設された袋部を構成し、該ヘッダー部に吊下手段を設けており、前記吊下手段は、ヘッダー部を貫通する挿入孔と、該挿入孔の周方向に間隔をあけて形成された切欠部と、相互に隣接する切欠部の間に形成された折曲自在な舌片を備え、舌片を折曲を介して押し広げることにより開口部を形成するように構成されており、前記挿入孔の内径ｄ１と前記開口部の最大内径ｄ２を、対象商品の頭部の外径Ｄ１と首部の外径Ｄ２に対して、ｄ１≦Ｄ２かつｄ２≧Ｄ１となるように形成して成る点にある。
【００１２】
本発明の実施形態において、前記吊下手段の切欠部は、挿入孔に対して放射方向に延びるスリットを該切欠部から外方に向けて延設している。
【００１３】
包装体は、合成樹脂フィルムから成る表裏フィルムを相互に重合すると共に、表裏フィルムの両側縁を溶着することにより構成されており、表裏フィルムの間に厚手の合成紙又は樹脂シートから成る芯材を介装することにより前記ヘッダー部を形成し、該ヘッダー部に連なる表裏フィルムの間に物品収納室を形成している。
【発明の効果】
【００１４】
請求項１に記載の本発明によれば、可撓性を有するシート状のヘッダー部に設けられた吊下手段は、ヘッダー部を貫通する挿入孔と、該挿入孔の周方向に間隔をあけて形成された切欠部と、相互に隣接する切欠部の間に形成された折曲自在な舌片を備え、舌片を折曲を介して押し広げることにより開口部を形成するように構成されている。従って、対象商品の頭部を挿入孔に向けて挿入すると、可撓性を有する舌片の折曲を介して挿入孔を拡大しつつ開口部を形成するので、対象商品の頭部を該開口部に挿入することができる。このため、対象商品の頭部を挿入孔の中心部に正確に位置決めしなくても、単に挿入孔の近辺に向けて押し込めば、該頭部を周方向から舌片により案内しつつ挿入孔の中心にセンタリングしながら挿入できるので、作業性が頗る良い。しかも、舌片の折曲により生じる開口部の内径は、舌片の折曲角度によって大小自在に形成されるから、頭部又は首部の形状及び寸法が異なる場合でも、吊下手段に対して自在に挿入可能となる。そして、頭部又は首部を挿入した後は、可撓性を有する舌片が折曲傾斜状態で頭部又は首部に接するので、吊下げられた包装体の脱落を好適に防止できる。尚、請求項１に記載の本発明によれば、舌片を対象商品の首部に係止できる他、対象商品の頭部に接触保持せしめることもできるので、首部を有していないボトルの頭部に対しても好適に吊下げることができるという利点がある。
【００１５】
請求項２に記載の本発明によれば、前記構成に加えて、吊下手段における挿入孔の内径ｄ１と前記開口部の最大内径ｄ２を、対象商品の頭部の外径Ｄ１と首部の外径Ｄ２に対して、ｄ１≦Ｄ２かつｄ２≧Ｄ１となるように形成している。従って、前記効果に加えて、対象商品の頭部及び首部を吊下手段に挿入したとき、舌片が首部に好適に係止し、包装体の脱落防止機能を更に向上できるという効果がある。この際、対象商品の頭部の外径Ｄ１と首部の外径Ｄ２は、Ｄ２＜Ｄ１とされており、頭部の挿入時に舌片を屈撓することにより折曲癖を付与するので、舌片の位置まで首部が挿入されたとき、舌片は、可撓性によりやや復元しつつも折曲傾斜された状態で頭部の下面に向けて対向する。このため、吊下手段が首部から抜出される方向に対して、舌片の先端が頭部に向けて対抗し、抜出し方向の移動を阻止する。
【００１６】
請求項３に記載の本発明によれば、吊下手段の切欠部は、挿入孔に対して放射方向に延びるスリットを該切欠部から外方に向けて延設している。従って、相互に隣接するスリットの間に位置する舌片の基部が十分に広幅に形成されるので、舌片の可撓性を損なうことがなく、しかも、舌片がスリットを介して長く形成されるので、開口部の最大内径ｄ２を大きく形成することができ、大小相違する頭部の外径Ｄ１に対する自在性が向上するという効果がある。
【００１７】
請求項４に記載の本発明によれば、包装体は、合成樹脂フィルムから成る表裏フィルムを相互に重合すると共に、表裏フィルムの両側縁を溶着することにより構成されており、表裏フィルムの間に厚手の合成紙又は樹脂シートから成る芯材を介装することによりヘッダー部を形成し、該ヘッダー部に連なる表裏フィルムの間に物品収納室を形成している。従って、ヘッダー部の補強と可撓性を満足できるので、前述のような吊下手段の機能及び効果を促進できる。しかも、ヘッダー部に対して吊下手段の加工を加えるだけで、従来の製袋機による製袋方法に基づいて本発明に係る包装体を提供できるという効果がある。
【発明を実施するための最良の形態】
【００１８】
以下図面に基づいて本発明の好ましい実施形態を詳述する。尚、対象商品は、飲料その他を充填するボトルを例示するが、これに限定されないことを諒解されたい。
【００１９】
（包装体の基本的形態）
図１は、本発明に係る吊下包装体の基本的形態を示している。包装体１は、合成樹脂フィルムから成る表裏フィルム２ａ、２ｂを重合すると共に、表裏フィルム２ａ、２ｂを包装体１の両側縁１ａ、１ａに沿って溶着することにより、ヘッダー部３と袋部４を連設している。ヘッダー部３は、表裏フィルム２ａ、２ｂの間に合成紙又は樹脂シートから成る芯材５を介装しており、ヘッダー部３と袋部４の連設境界部分に位置して表裏フィルム２ａ、２ｂを相互に溶着する溶着線６を包装体１の幅方向に向けて全幅にわたり形成している。
【００２０】
図例の場合、表裏フィルム２ａ、２ｂは、１枚の合成樹脂フィルムをヘッダー部３の頂部で半折することにより構成されているが、２枚の合成樹脂フィルムによりそれぞれ表裏フィルム２ａ、２ｂを構成し、両フィルムをヘッダー部３の頂部で相互に溶着する構成としても良い。また、両側縁１ａ、１ａに沿う溶着は、溶断刃により溶断と同時に溶着する構成が好ましいが、切断刃による切断後に改めて溶着する構成としても良い。尚、フィルムは、ポリプロピレン、ポリエチレン、ナイロン、ポリエステル、その他、公知のフィルム素材を使用することができる。
【００２１】
袋部４は、表裏フィルム２ａ、２ｂの間に物品収納室７を形成しており、該物品収納室７の開口部７ａを下向きに開口せしめ、表フィルム２ａを開口部７ａの開口縁を越えて延設することにより封口片８を形成し、該封口片８に接着手段９を設けている。尚、接着手段９は、離型フィルム１０により被覆されている。従って、小型の玩具や、ネックレス又は指輪等のアクセサリー、その他、顧客に対して対象商品の購買欲を惹起せしめる景品等の小物品を物品収納室７に収納した後、封口片８を折返すことにより接着手段９を裏フィルム２ｂに接着すれば、開口部７ａが封口される。然しながら、本発明がこのような構成に限定されないことは勿論であり、袋部４の下端に位置して表裏フィルム２ａ、２ｂを溶着することにより袋底部を形成し、開口部７ａを溶着線６の近傍部に位置して上向きに設けても良く、その場合、封口片を設けても良く又は設けなくても良い。
【００２２】
図示実施形態の場合、ヘッダー部３は、芯材５を表裏フィルム２ａ、２ｂの間に介装することにより十分な可撓性を有するように形成されているが、袋部４に対して芯材５だけを連設することによりヘッダー部３を構成しても良く、或いは、反対に、芯材５を省略することにより表裏フィルム２ａ、２ｂだけでヘッダー部３を構成しても良いが、何れの場合においても、ヘッダー部３はある程度の可撓性を有することが必要である。
【００２３】
上記構成によれば、包装体１は、サイドシール製袋や、熱溶着溶断シール又はセンターシール製袋、その他、従来の製袋機による製袋方法に基づいて形成することができる。
【００２４】
（吊下手段の基本的実施形態）
図１に示すように、可撓性を有するシート状のヘッダー部３には吊下手段１１が設けられている。吊下手段１１は、ヘッダー部３を貫通する挿入孔１２と、該挿入孔１２の周方向に間隔をあけて形成された切欠部１３と、相互に隣接する切欠部１３、１３の間に形成された折曲自在な舌片１４を備え、舌片１４を折曲したとき開口部１５（開口部１５の最大直径を図１（Ａ）に鎖線で示す）が形成されるように構成されている。図示実施形態において、切欠部１３は、挿入孔１２に対して放射方向に延びるスリット１３ａを該切欠部１３から外方に向けて延設しており、従って、該スリット１３ａの切込み端に位置して舌片１４をほぼ直角に折曲したとき開口部１５の最大径が得られる。
【００２５】
本発明の好ましい実施形態において、舌片１４を形成するための挿入孔１２と切欠部１３とスリット１３ａは、溶断刃によりヘッダー部３を打抜くことにより形成される。従って、打抜きと同時に、舌片１４の輪郭に沿って芯材５と表裏フィルム２ａ、２ｂを三者一体化する溶着縁１４ａが形成される（図１（Ｂ）参照、但し、図面は溶着縁の断面を誇張的に示していることを諒解されたい）。尚、溶断刃を使用せず、打抜刃により打抜いても良いが、その場合は、舌片１４の表裏において表裏フィルム２ａ、２ｂが遊離する欠点を伴うことに留意する必要がある。
【００２６】
（基本的実施形態の使用例その１）
図２は、上記基本的実施形態に係る包装体１を飲料ボトル１６ａの首部に吊下げた使用例を示している。対象商品１６としての飲料ボトル１６ａは、飲口部にキャップ１７を施蓋しており、該キャップ１７により頭部１８を構成し、該キャップ１７の下側に現れる飲口部分により首部１９を構成し、首部１９から下向きに広がるボトル上部により肩部２０を構成している。包装体１の吊下手段１１には、頭部１８を挿通した後、首部１９が挿入されており、舌片１４の先端が首部１９に係止せしめられている。
【００２７】
（基本的実施形態の使用例その２）
図３は、上記基本的実施形態に係る包装体１を対象商品１６としての飲料ボトル１６ｂのキャップ２１に取付けられた人形や動物等を三次元的に表したキャラクター２２の首部に吊下げた使用例を示している。キャラクター２２は、それ自体が頭部１８と、首部１９と、肩部２０を構成している。包装体１は、吊下手段１１に対して頭部１８から首部１９を挿入されており、舌片１４の先端が首部１９に係止せしめられている。
【００２８】
（基本的実施形態の作用）
図４は、上記基本的実施形態に係る包装体１を対象商品１６に吊下げる際の作用を示している。尚、図４は、図２に示した飲料ボトル１６ａを対象商品１６としてそれ自体に吊下げる場合の作用を示しているが、図３に示した対象商品１６の一部分を構成するキャラクター２２に吊下げる場合の作用も同様であることを諒解されたい。
【００２９】
図４（Ａ）に示すように、対象商品１６は、頭部１８の外径Ｄ１と首部１９の外径Ｄ２と肩部２０の外径Ｄ３を、Ｄ２＜Ｄ１かつＤ２＜Ｄ３となるように形成している。頭部１８と肩部２０の関係は、図例の場合、Ｄ１＜Ｄ３に形成されているが、Ｄ１＝Ｄ３であっても良く、Ｄ１＞Ｄ３であっても良い。
【００３０】
これに対して、包装体１のヘッダー部３に設けられた吊下手段１１は、挿入孔１２の内径ｄ１と、舌片１４を折曲したときに形成される開口部１５の最大内径ｄ２を、前記頭部１８の外径Ｄ１と首部１９の外径Ｄ２に対して、ｄ１≦Ｄ２かつｄ２≧Ｄ１となるように形成している。図例の場合、ｄ１＜Ｄ２＜Ｄ１かつｄ２＞Ｄ１＞Ｄ２に形成されているが、ｄ１＝Ｄ２＜Ｄ１かつｄ２＝Ｄ１＞Ｄ２に形成しても良い。
【００３１】
そこで、図４（Ｂ）に示すように、対象商品１６の頭部１８を挿入孔１２に向けて挿入すると、可撓性を有する舌片１４の折曲を介して挿入孔１２を拡大しつつ開口部１５を形成し、頭部１８を該開口部１５に挿入せしめる。この際、対象商品１６の頭部１８を挿入孔１２の中心部に正確に位置決めしなくても、単に挿入孔１２の近辺に向けて押し込めば、屈撓される舌片１４が頭部１８を周方向から挿入孔１２の中心に向けて案内するので、頭部１８は自動的に挿入孔１２の中心にセンタリングされる。
【００３２】
頭部１８により舌片１４が折曲される結果、挿入孔１２を押し広げながら形成される開口部１５の内径は、舌片１４の折曲角度によって決定される。即ち、開口部１５の内径は、挿入孔１２の内径ｄ１と開口部１２の最大内径ｄ２との間において、押し込まれる頭部１８の外径Ｄ１と等しくなるように形成される。従って、頭部１８の形状及び寸法が異なる場合でも、常に頭部１８の外径Ｄ１に適合する開口部１５が形成され、該頭部１８の挿入を可能にする。
【００３３】
そして、図４（Ｃ）に示すように、頭部１８を挿通せしめた後、首部１９が舌片１４の先端に位置すると、舌片１４は可撓性を介して復元することにより首部１９に係止する。舌片１４は、頭部１８を挿通したときの屈撓により折曲癖が付与されているので、舌片１４の位置まで首部１９が挿入されたとき、図示のように、舌片１４は、可撓性によりやや復元しつつも折曲傾斜された状態で頭部１８の下面に向けて対向する。このため、吊下手段１１を首部１９から抜出す方向Ｒに対して、舌片１４の先端が頭部１８に向けて対抗しているので、該抜出し方向Ｒの移動を阻止する。この際、挿入孔１２の内径ｄ１と首部１９の直径Ｄ２がｄ１＜Ｄ２となるように形成しておけば、舌片１４の先端が首部１９の外周に接触し、包装体１のガタツキ遊動が阻止される。
【００３４】
（吊下手段の別の実施形態とその使用例）
図５及び図６は、包装体１のヘッダー部３に設けた吊下手段１１の別の実施形態を示している。
【００３５】
図５に示すように、対象商品１６としてのボトル１６ｃは、口部とほぼ同径のキャップ２３により頭部１８を構成しているが、口部から連続して下広がり状の肩部２０を形成しているため、首部を有しない。
【００３６】
そこで、包装体１の吊下手段１１には、頭部１８が挿入されており、舌片１４の先端が頭部１８の外周を保持している。
【００３７】
図６（Ａ）に示すように、対象商品１６は、頭部１８の外径Ｄ１と肩部２０の外径Ｄ３を、Ｄ１＜Ｄ３となるように形成している。尚、Ｄ１＝Ｄ３であっても良い。
であっても良い。
【００３８】
これに対して、包装体１のヘッダー部３に設けられた吊下手段１１は、挿入孔１２の内径ｄ１と、舌片１４を折曲したときに形成される開口部１５の最大内径ｄ２を、前記頭部１８の外径Ｄ１に対して、ｄ１＜Ｄ１かつｄ２＞Ｄ１となるように形成している。
【００３９】
そこで、図６（Ｂ）に示すように、対象商品１６の頭部１８を挿入孔１２に向けて挿入すると、可撓性を有する舌片１４の折曲を介して挿入孔１２を拡大しつつ開口部１５を形成し、頭部１８を該開口部１５に挿入せしめる。この際、対象商品１６の頭部１８を挿入孔１２の中心部に正確に位置決めしなくても、単に挿入孔１２の近辺に向けて押し込めば、屈撓される舌片１４が頭部１８を周方向から挿入孔１２の中心に向けて案内するので、頭部１８は自動的に挿入孔１２の中心にセンタリングされる。
【００４０】
頭部１８により舌片１４が折曲される結果、挿入孔１２を押し広げながら形成される開口部１５の内径は、舌片１４の折曲角度によって決定される。即ち、開口部１５の内径は、挿入孔１２の内径ｄ１と開口部１２の最大内径ｄ２との間において、押し込まれる頭部１８の外径Ｄ１と等しくなるように形成される。従って、頭部１８の形状及び寸法が異なる場合でも、常に頭部１８の外径Ｄ１に適合する開口部１５が形成され、該頭部１８の挿入を可能にする。
【００４１】
そして、図６（Ｃ）に示すように、包装体１は、舌片１４が頭部１８の外周に接触した任意の位置で吊下状態に保持される。即ち、舌片１４は可撓性を介して復元することにより頭部１８を外周から保持する。この際、舌片１４は、折曲傾斜された状態で頭部１８の外周面に対向する。このように吊下手段１１を頭部１８から抜出す方向Ｒに対して舌片１４の先端が対抗し、該抜出し方向Ｒの移動により図示矢印のように舌片１４を閉じる方向のモーメントを生じるので、抜出し方向の移動が好適に阻止される。
【００４２】
（吊下手段の変形例）
図７は、吊下手段１１の変形例を示している。上述した基本的実施形態においては、図１（Ａ）に示すように挿入孔１２の周方向に６枚の舌片１４を設けた例を示したが、舌片１４の枚数は任意に変更することが可能であり、図７（Ａ）に示す第１変形例のように、４枚の舌片１４により吊下手段１１を構成しても良く、図７（Ｂ）に示す第２変形例のように、８枚の舌片１４により吊下手段１１を構成しても良い。更に、これらの例においては、複数枚の舌片１４を同一形状となるように形成しているが、相互に異形となるように形成しても良い。
【００４３】
更に、上述した基本的実施形態においては、切欠部１３からスリット１３ａを延設した例を示したが、図７（Ｃ）に示す第３変形例のように、スリットを有しない切欠部１３のみによって舌片１４を形成するように構成しても良い。
【００４４】
（装飾手段を設けた実施例）
図８は、包装体１に装飾手段を設けた実施例を示している。上述のように、ヘッダー部３に設けた吊下手段１１は、挿入孔１２の周囲に舌片１４が求心方向に向かうように設けられているので、図８（Ａ）に示すように、これらの舌片１４が花びら模様２４に仕立てられるように印刷を施すことができ、これにより対象商品１６に吊下げられた包装体１を装飾性の高いものに構成することができる。
【００４５】
また、包装体１を図３に示すようなキャラクター２２に吊下げる場合等においては、図８（Ｂ）に示すように、包装体１に衣服模様２５を印刷すると共に、挿入孔１２の回りにおける舌片１４を含むヘッダー部３を衣服の襟模様２６に仕立てられるように印刷を施すことができ、これにより包装体１がキャラクター２２にマッチした装飾性を有するように構成される。
【図面の簡単な説明】
【００４６】
【図１】本発明に係る吊下包装体の基本的実施形態を示しており、（Ａ）は正面図、（Ｂ）はＢ−Ｂ線断面拡大図である。
【図２】本発明の基本的実施形態に係る吊下包装体の使用例を示す斜視図である。
【図３】本発明の基本的実施形態に係る吊下包装体の別の使用例を示す斜視図である。
【図４】本発明の基本的実施形態に係る吊下包装体を対象商品に吊下げるときの作用を示しており、（Ａ）は吊下手段に頭部を挿入する前の状態を示す断面図、（Ｂ）は吊下手段に頭部を挿入中の状態を示す断面図、（Ｃ）は舌片を首部に係止せしめた吊下状態を示す断面図である。
【図５】本発明の別の実施形態に係る吊下包装体の使用例を示す斜視図である。
【図６】本発明の別の実施形態に係る吊下包装体を対象商品に吊下げるときの作用を示しており、（Ａ）は吊下手段に頭部を挿入する前の状態を示す断面図、（Ｂ）は吊下手段に頭部を挿入中の状態を示す断面図、（Ｃ）は舌片により頭部を保持した吊下状態を示す断面図である。
【図７】吊下手段の変形例を示しており、（Ａ）は第１変形例を示す正面図、（Ｂ）は第２変形例を示す正面図、（Ｃ）は第３変形例を示す正面図である。
【図８】装飾手段を設けた実施例を示しており、（Ａ）は舌片を花びら模様に表した実施例を示す正面図、（Ｂ）は舌片を衣服の襟に模した実施例を示す正面図である。
【符号の説明】
【００４７】
１    包装体
３    ヘッダー部
４    袋部
１１    吊下手段
１２    挿入孔
１３    切欠部
１３ａ  スリット
１４    舌片
１５    開口部
１６    対象商品
【図１】
2005297991.tif 000003
【図２】
2005297991.tif 000004
【図３】
2005297991.tif 000005
【図４】
2005297991.tif 000006
【図５】
2005297991.tif 000007
【図６】
2005297991.tif 000008
【図７】
2005297991.tif 000009
【図８】
2005297991.tif 000010